(57)【要約】      （修正有）【課題】色温度の表現を簡単な調整によって、ＡＮＳＩ規定のＣＩＥ色温度座標の少なくとも一つの色温度のターゲット領域でプロットされた色温度表現に合致することができる、ＬＥＤ発光装置の製造方法及びその発光装置を提供する。【解決手段】青色ＬＥＤチップの規格を選択するステップと、緑色蛍光体を青色ＬＥＤチップと組み合わせてＣＩＥ１９３１色温度座標から緑光の領域を決定し、及び赤色蛍光体を青色ＬＥＤチップとを組み合わせて色温度座標から赤光の領域を決定するステップと、色温度のターゲット領域を通過する設定の直線を選択し、設定の直線上２つの交点がそれぞれ緑光の領域と赤光の領域位置に納めるステップと、緑色蛍光体と赤色蛍光体の濃度を決定した上青色ＬＥＤチップとを組み合わせてパッケージし、第１ＬＥＤと第２ＬＥＤとを形成し、基板上に少なくとも一つの第１ＬＥＤ、少なくとも一つの第２ＬＥＤとを設けるステップと、を備える。【選択図】図３
2017098522.tif 000002
【特許請求の範囲】
【請求項１】
ＡＮＳＩ規定のＣＩＥ１９３１色温度座標上少なくとも一つの色温度のターゲット領域におさまる色温度表現に合致し、色温度表現を簡単に調整できる、ＬＥＤ発光裝置の製造方法であって、
青色ＬＥＤチップの規格を選択するステップと、
緑色蛍光体を前記青色ＬＥＤチップと組み合わせて、ＣＩＥ１９３１色温度座標に緑光の領域を決定するステップと、
赤色蛍光体を前記青色ＬＥＤチップと組み合わせて、ＣＩＥ１９３１色温度座標に赤色の領域を決定するステップと、
色温度のターゲット領域を通過する設定の直線を選択して、設定の直線２つの端点がそれぞれ前記緑光の領域と、前記赤光の領域とに位置させ、これをもって前記緑色蛍光体と、前記赤色蛍光体の濃度を決定し、前記緑色蛍光体と、前記青色ＬＥＤチップとを組み合わせてパッケージし、一体成型によって第１ＬＥＤを形成し、前記赤色蛍光体と、前記青色ＬＥＤチップとを組み合わせてパッケージし、一体成型によって第２ＬＥＤを形成し、  さらに、前記少なくとも一つの第１ＬＥＤと、前記少なくとも一つの第２ＬＥＤを基板に取り付けるステップと、を備えることを特徴とする、ＬＥＤ発光裝置の製造方法。
【請求項２】
設定の直線が色温度のターゲット領域を通過して、２つの交点を形成したとき、前記第１ＬＥＤと、前記第２ＬＥＤの設置数で第１ＬＥＤが第２ＬＥＤに対する輝度の比率を調整することによって、前記ＬＥＤ発光装置全体の色温度が色温度ターゲットの設定の直線において揺れ動くことを特徴とする、請求項１記載のＬＥＤ発光裝置の製造方法。
【請求項３】
前記青色ＬＥＤチップの波長が４００ｎｍ〜４８０ｎｍ、前記赤色蛍光体を励起された後赤光の波長が６００ｎｍ〜６５０ｎｍ、前記緑色蛍光体を励起された後みどり光の波長が５１５ｎｍ〜５６０ｎｍであることを特徴とする、請求項１記載のＬＥＤ発光裝置の製造方法。
【請求項４】
前記色温度のターゲット領域がＣＩＥ１９３１色温度座標（０．４８１、  ０．４３１）、（０．４５９、  ０．３９４）、（０．４３０、  ０．４１７）と、（０．４１５、  ０．３８２）  によって特定された範囲に納め、緑光の領域がＣＩＥ１９３１色温度座標（０．４４、  ０．５０）、（０．４４、  ０．５５）、（０．２６、  ０．６２）、（０．２７、  ０．４０）と、（０．３９、  ０．４５）によって特定された範囲に納め、赤光の領域がＣＩＥ１９３１色温度座標（０．５２、  ０．３５）、（０．５６、  ０．３９）、（０．６４、  ０．３０）、（０．４７、  ０．１６）と、（０．４６、  ０．３２）によって特定された範囲に納めることを特徴とする、請求項１記載のＬＥＤ発光裝置の製造方法。
【請求項５】
前記第１ＬＥＤと、前記第２ＬＥＤの輝度比率が１．２〜２．０であることを特徴とする、請求項１記載のＬＥＤ発光裝置の製造方法。
【請求項６】
前記色温度のターゲット領域がＣＩＥ１９３１色温度座標（０．４００、  ０．４０３）、（０．３７４、  ０．３８８）、（０．３６７、  ０．３５８）と、（０．３９０、  ０．３７１）  によって特定された範囲に納め、緑光の領域がＣＩＥ１９３１色温度座標（０．３７，  ０．４２）、（０．４０，  ０．４５）、（０．３８，  ０．６０）、（０．３５，  ０．６４）、（０．３３，  ０．６５）、（０．２４，  ０．５５）と、（０．２６、  ０．３２）によって特定された範囲に納め、赤光の領域がＣＩＥ１９３１色温度座標（０．５４，  ０．２６）、（０．５３，  ０．１８）、（０．３７，  ０．１５）、（０．３３，  ０．２９）と、（０．５０、  ０．４０）によって特定された範囲に納めることを特徴とする、請求項３記載のＬＥＤ発光裝置の製造方法。
【請求項７】
前記第１ＬＥＤと、前記第２ＬＥＤの輝度比率が２．２〜３．２であることを特徴とする、請求項６記載のＬＥＤ発光裝置の製造方法。
【請求項８】
前記色温度のターゲット領域がＣＩＥ１９３１色温度座標（０．３５５、  ０．３７５）、（０．３３８、  ０．３６２）、（０．３３７、  ０．３３７）と、（０．３５１、  ０．３４８）  によって特定された範囲に納め、緑光の領域がＣＩＥ１９３１色温度座標（０．３７，  ０．４２）、（０．４０，  ０．４５）、（０．３８，  ０．６０）、（０．３５，  ０．６４）、（０．３３，  ０．６５）、（０．２４，  ０．５５）と、（０．２６、  ０．３２）によって特定された範囲に納め、赤光の領域がＣＩＥ１９３１色温度座標（０．５４，  ０．２６）、（０．５３，  ０．１８）、（０．３７，  ０．１５）、（０．３３，  ０．２９）と、（０．５０、  ０．４０）によって特定された範囲に納めることを特徴とする、請求項３記載のＬＥＤ発光裝置の製造方法。
【請求項９】
前記第１ＬＥＤと、前記第２ＬＥＤの輝度比率が３．６〜４．でることを特徴とする、請求項８記載のＬＥＤ発光裝置の製造方法。
【請求項１０】
前記ターゲット領域がＣＩＥ１９３１色温度座標（０．３２１，  ０．３４８）、（０．３０３，  ０．３３１）、（０．３０７，  ０．３１２）と、（０．３２２、  ０．３２５）  によって特定された範囲に納め、緑光の領域がＣＩＥ１９３１色温度座標（０．３７，  ０．４２）、（０．３０，  ０．６０）、（０．２８，  ０．６０）、（０．２７，  ０．４７）、（０．２４，  ０．３２）と、（０．２８５，  ０．３４）によって特定された範囲に納め、赤光の領域がＣＩＥ１９３１色温度座標（０．３７，  ０．３２）、（０．４５，  ０．１８）、（０．２９，  ０．０８）、（０．２８，  ０．２０）と、（０．３０，  ０．２７）によって特定された範囲に納めることを特徴とする、請求項３記載のＬＥＤ発光裝置の製造方法。
【請求項１１】
前記第１ＬＥＤと、前記第２ＬＥＤの輝度比率が３．６〜４．でることを特徴とする、請求項１０記載のＬＥＤ発光裝置の製造方法。
【請求項１２】
ＡＮＳＩ規定のＣＩＥ１９３１色温度座標上少なくとも一つの色温度のターゲット領域におさまる色温度表現に合致する、ＬＥＤ発光裝置であって、
基板と、
前記基板に取り付けていて、第１青色ＬＥＤチップと、緑色蛍光体とを含む、前記緑色蛍光体が前記第１青色ＬＥＤチップから出射する青光を吸収して励起し、青光を形成する少なくとも一つの第１第１ＬＥＤと、
基板に取り付けていて、第２青色ＬＥＤチップと、赤色蛍光体とを含む、前記赤色蛍光体が第２青色ＬＥＤチップから出射する青光を吸収して赤光を出射すると、を備え、前記第１青色ＬＥＤチップと、前記第２青色ＬＥＤチップは同じ規格であり、前記第１ＬＥＤのみどり光と、前記第２ＬＥＤの赤光がＣＩＥ１９３１色温度座標上の色温度のターゲット領域の設定の直線の２つの端点を通過することを特徴とする、ＬＥＤ発光裝置。
【請求項１３】
設定の直線が色温度のターゲット領域を通過して、２つの交点を形成したとき、前記第１２ＬＥＤと、前記第２ＬＥＤの設置数で第１ＬＥＤが第２ＬＥＤに対する輝度の比率を調整することによって、前記ＬＥＤ発光装置全体の色温度が色温度ターゲットの設定の直線において振れることを特徴とする、請求項１２記載のＬＥＤ発光裝置。
【請求項１４】
前記第１青色ＬＥＤチップと、前記第２青色ＬＥＤチップの波長は４００ｎｍ〜４８０ｎｍ、前記赤色蛍光体を励起された後赤光の波長は６００ｎｍ〜６５０ｎｍ、前記緑色蛍光体を励起された後みどり光の波長は５１５ｎｍ〜５６０ｎｍであることを特徴とするの製造方法。
【請求項１５】
ターゲット色温度がＣＩＥ１９３１色温度座標（０．４８１，  ０．４３１）、（０．４５９，  ０．３９４）、（０．４３０，  ０．４１７）と、（０．４１５，  ０．３８２）によって、特定された範囲に納め、第１ＬＥＤの緑光がＣＩＥ１９３１色温度座標（０．４４，  ０．５０）、（０．４４，  ０．５５）、（０．２６，  ０．６２）、（０．２７，  ０．４０）と、（０．３９，  ０．４５））によって、特定されたみどり光領域に納め、第２ＬＥＤの赤光がＣＩＥ１９３１色温度座標（０．５２，  ０．３５）、（０．５６，  ０．３９）、（０．６４，  ０．３０）、（０．４７，  ０．１６）と、（０．４６，  ０．３２）によって、特定された赤光領域に納めることを特徴とする、請求項１４記載のＬＥＤ発光裝置。
【請求項１６】
前記第１ＬＥＤと、前記第２ＬＥＤの輝度比率が１．２〜２．０であることを特徴とする、請求項１５記載のＬＥＤ発光裝置。
【請求項１７】
ターゲット色温度がＣＩＥ１９３１色温度座標（０．４００，  ０．４０３）、（０．３７４，  ０．３８８）、（０．３６７，  ０．３５８）と、（０．３９０，  ０．３７１）によって、特定された範囲に納め、第１ＬＥＤの緑光がＣＩＥ１９３１色温度座標（０．３７，  ０．４２）、（０．４０，  ０．４５）、（０．３８，  ０．６０）、（０．３５，  ０．６４）、（０．３３，  ０．６５）、（０．２４，  ０．５５）と、（０．２６，  ０．３２））によって、特定されたみどり光領域に納め、第２ＬＥＤの赤光がＣＩＥ１９３１色温度座標（０．５４，  ０．２６）、（０．５３，  ０．１８）、（０．３７，  ０．１５）、（０．３３，  ０．２９）と、（０．５０，  ０．４０）によって、特定された赤光領域に納めることを特徴とする、請求項１４記載のＬＥＤ発光裝置の製造方法。
【請求項１８】
前記第１ＬＥＤと、前記第２ＬＥＤの輝度比率が２．２〜３．２であることを特徴とする、請求項１７記載のＬＥＤ発光裝置。
【請求項１９】
ターゲット色温度がＣＩＥ１９３１色温度座標（０．３５５，  ０．３７５）、（０．３３８，  ０．３６２）、（０．３３７，  ０．３３７）と、（０．３５１，  ０．３４８）によって、特定された範囲に納め、第１ＬＥＤの緑光がＣＩＥ１９３１色温度座標（０．３７，  ０．４２）、（０．４０，  ０．４５）、（０．３８，  ０．６０）、（０．３５，  ０．６４）、（０．３３，  ０．６５）、（０．２４，  ０．５５）と、（０．２６，  ０．３２））によって、特定されたみどり光領域に納め、第２ＬＥＤの赤光がＣＩＥ１９３１色温度座標（０．５４，  ０．２６）、（０．５３，  ０．１８）、（０．３７，  ０．１５）、（０．３３，  ０．２９）と、（０．５０，  ０．４０）によって、特定された赤光領域に納めることを特徴とする、請求項１４記載のＬＥＤ発光裝置。
【請求項２０】
前記第１ＬＥＤと、前記第２ＬＥＤの輝度比率が３．６〜４．２であることを特徴とする、請求項１９記載のＬＥＤ発光裝置。
【請求項２１】
ターゲット色温度がＣＩＥ１９３１色温度座標（０．３２１，  ０．３４８）、（０．３０３，  ０．３３１）、（０．３０７，  ０．３１２）と、（０．３２２，  ０．３２５）によって、特定された範囲に納め、第１ＬＥＤの緑光がＣＩＥ１９３１色温度座標（０．３７，  ０．４２）、（０．３０，  ０．６０）、（０．２８，  ０．６０）、（０．２７，  ０．４７）、（０．２４，  ０．３２）と、（０．２８５，  ０．３４））によって、特定されたみどり光領域に納め、第２ＬＥＤの赤光がＣＩＥ１９３１色温度座標（０．３７，  ０．３２）、（０．４５，  ０．１８）、（０．２９，  ０．０８）、（０．２８，  ０．２０）と、（０．３０，  ０．２７）によって、特定された赤光領域に納めることを特徴とする、請求項１４記載のＬＥＤ発光裝置。
【請求項２２】
前記第１ＬＥＤと、前記第２ＬＥＤの輝度比率が３．６〜４．２であることを特徴とする、請求項２１記載のＬＥＤ発光裝置。
【発明の詳細な説明】
【技術分野】
【０００１】
本発明はＬＥＤの分野に関し、特に色温度の表現を簡単に調整できるＬＥＤ発光装置の製造方法及びそのＬＥＤ発光装置に関する。
【背景技術】
【０００２】
人の目の錐状細胞は光色により、３つの受容体に分けることができ、それぞれ可視光スペクトラムに対応する赤、みどりと青３色の光を受け入れる。そのため、錐状細胞によって、色合いを定義される。さらに、人の目で色調を知覚した数値の標準化を図るため、国際照明委員会（ＣＯＭＭＩＳＳＩＯＮ  ＩＮＴＥＲＮＡＴＩＯＮＡＬＥ  ＤＥ  Ｌ’ＥＣＬＡＩＲＡＧＥ，ＣＩＥ）は、１９３１年にＣＩＥ１９３１等色関数を採択した後、三原色のＸＹＺ刺激値を簡略化した後、ＣＩＥ１９３１ｘｙ色度図が得られる。これは現在によく見かける標準定義の基準座標になっている。すなわち、ある色のＣＩＥ１９３１ｘｙの色度座標を得ることによって、色度に色の特徴を明確に定義できる。例えば、照明分野では、白光の個別基準を定義しなければならない。プランク黒体放射法則がそのうちの一つである。ある光源のスペクトラム分布と、黒体から放射されるスペクトラムが同じのときに、黒体表面の絶対温度パラメーターによって、光源の色とスペクトラム分布を定義した上、色温度という用語をもって、光色を表すことができ、さらに、光源の色温度が分かれば、その色温度の座標が分かり、もって、光源の色調特徴を確定できる。
【発明の概要】
【発明が解決しようとする課題】
【０００３】
発光ダイオード（ＬＥＤ）は、現在にかなり普及している照明灯具の光源である。その特性として、一般的に狭いスペクトラム分布範囲の光源を出射されることから、一つのＬＥＤには、固有色の光源しか出せないため、色調混合の原理を利用して、ＬＥＤを光源とする灯具に必要な色温度を表現させなければならない。照明灯具全体に特定な色温度を表現させるには、一つまたは異なる色温度の白光ＬＥＤを混色して、寒色系または暖色系の照明光源を形成する。設計と製造については、灯具に白光を表現させたいときは、直覚的な設計として、ＬＥＤ光源自体に白色光源の方式が採られている。つまり、灯具基板上すべてのＬＥＤ光源を白色光源に設計し、その後の混色及び混色によって出射される色温度が均一しない現象を避ける。白光ＬＥＤの光色調整の主な構成方式は、複数の独立のＬＥＤチップ（ＲＧＢ）に、三原色光を利用して混色するか、または蛍光体と、ＬＥＤチップの光色をもって互いに補って混色する。一例として、図１は少なくとも一つの青色ＬＥＤチップ２０と、一つの赤光蛍光体２１と、緑色蛍光体２２を一緒にパッケージ加工し、白色ＬＥＤ２を形成し、さらに、白色ＬＥＤ２を必要な色温度条件に基づいて、赤色蛍光体２１及び緑色蛍光体２２を徐々に調整して、所要の光源を形成する。そのうち、図１において、赤色蛍光体２１と、緑色蛍光体２２は、白光ＬＥＤ２の封止材に分布していることを示すものであって、実際の蛍光体の態様ではない。その後で必要な輝度等の要件に基づき、少なくとも一つの白色ＬＥＤ２を電気回路板３に取り付けることによって、公知の発光装置４を仕上がることができる。公知の発光装置４は、電球等の灯具に主な発光源として適用できる。これに対して図２Ａ〜２Ｄは、公知の発光装置４の様々な設置態様を示す。しかし、この方式では、蛍光体濃度の調合に相当な不便をきたしている。いずれか一つの蛍光体濃度が変わると、光源の色温度は必ず変わってくる。しかし、比例と濃度を変化させるときには、変更後の結果を事前にシミュレートすることはできない。よって、調合した後白色ＬＥＤ２をパッケージしてから、実測により関連数値を取得しなければならない。
【０００４】
そのために、本発明人がＬＥＤ設計開発における長年の経験に基づき、自由度と、調合性は高く、色温度表現の調整が簡単なＬＥＤ発光装置の製造方法及びその発光装置を考案し、現在の照明灯具の色温度表現に関わる欠点と不便解消を図る。
【課題を解決するための手段】
【０００５】
本発明の一目的は、主に異なる色のＬＥＤを混色して、所要の色温度の発光装置を形成し、極めて高い調光自由度、発光効率及び精確な色温度表現が得られる、ＬＥＤ発光装置の製造方法及びその発光装置を提供する。
【０００６】
前述目的を達成するために、本発明において、色温度の表現を簡単に調整でき、ＡＮＳＩが規定していたＣＩＥ色温度座標の少なくとも一つの色温度のターゲット領域でプロットされた色温度表現に合致できる、ＬＥＤ発光装置の製造方法及びその発光装置を開示される。青色ＬＥＤチップの規格を選択するステップと、緑色蛍光体と青色ＬＥＤチップとを組み合わせて、ＣＩＥ１９３１色温度座標から緑光の領域を決定するステップと、赤色蛍光体と青色ＬＥＤチップとを組み合わせて、ＣＩＥ１９３１色温度座標から赤光の領域を決定するステップと、色温度のターゲット領域を通過する設定の直線を選択して、かつ設定の直線の２つの端点がそれぞれ緑光の領域と、赤光の領域に位置させ、これに基づき、緑色蛍光体と、赤色蛍光体の濃度を決定するステップと、を備える。そのうち、緑色蛍光体と、青色ＬＥＤチップとを組み合わせて、一体成型される第１ＬＥＤにパッケージし、赤色蛍光体と、青色ＬＥＤチップとを組み合わせて、一体成型される第２ＬＥＤにパッケージし、かつ少なくとも一つの第１ＬＥＤと、少なくとも一つの第２ＬＥＤとを基板上に取り付ける。これにより、色温度のターゲット領域を通過した設定の直線を基準として、さらに、緑色光領域と、赤光の領域の端点に基づき、緑色蛍光体と、赤色蛍光体の濃度を決定される。よって、第１ＬＥＤと、第２ＬＥＤが極めて高い調整の自由度を有しており、基板に取り付けた後、ＬＥＤ発光装置全体の色温度表現が色温度のターゲット領域に合致すると共に、より良い発光効果が得られる。
【０００７】
そのうち、製造方法は、設定の直線が色温度のターゲット領域を通過して、２つの交点を形成したとき、第１ＬＥＤと、第２ＬＥＤの設置数で第１ＬＥＤが第２ＬＥＤに対する輝度比率を調整することによって、ＬＥＤ発光装置全体の色温度が色温度ターゲットの設定の直線において振れることをさらに含む。これにより、選択した設定の直線が色温度のターゲット領域において、２つの交点を形成したときの条件において、第１ＬＥＤと、第２ＬＥＤの数によって、両者の輝度比率を調整すれば、色温度のターゲット領域に合致した条件において、輝度比率をもって、ＬＥＤ発光装置全体の色温度を微調整することができる。
【０００８】
青色ＬＥＤチップの波長が４００ｎｍ〜４８０ｎｍ、赤色蛍光体を励起された後赤光の波長が６００ｎｍ〜６５０ｎｍ、緑色蛍光体を励起された後みどり光の波長が５１５ｎｍ〜５６０ｎｍが好ましいである。
【０００９】
このほかに、ＬＥＤ発光装置の色温度のターゲット領域がＡＮＳＩ２７００Ｋ〜３０００Ｋのとき、色温度のターゲット領域がＣＩＥ１９３１色温度座標（０．４８１、  ０．４３１）、（０．４５９、  ０．３９４）、（０．４３０、  ０．４１７）と、（０．４１５、  ０．３８２）  によって特定された範囲に納め、緑光の領域がＣＩＥ１９３１色温度座標（０．４４、  ０．５０）、（０．４４、  ０．５５）、（０．２６、  ０．６２）、（０．２７、  ０．４０）と、（０．３９、  ０．４５）によって特定された範囲に納め、赤光の領域がＣＩＥ１９３１色温度座標（０．５２、  ０．３５）、（０．５６、  ０．３９）、（０．６４、  ０．３０）、（０．４７、  ０．１６）と、（０．４６、  ０．３２）によって特定された範囲に納める。
【００１０】
さらに、ＬＥＤ発光装置全体の色温度が色温度のターゲット領域に納められるときは、第１ＬＥＤと、第２ＬＥＤとの輝度比率が１．２〜２．０であり、ＬＥＤ発光装置の色温度表現の微調整を行うことによって、設定の直線上に振れ、調合の自由度がより高いＬＥＤ発光装置を提供できると共に、ＬＥＤ発光装置の光学品位も合わせて向上される。
【００１１】
ＬＥＤ発光装置の色温度のターゲット領域がＡＮＳＩ４１００Ｋのとき、色温度のターゲット領域がＣＩＥ１９３１色温度座標（０．４００、  ０．４０３）、（０．３７４、  ０．３８８）、（０．３６７、  ０．３５８）と、（０．３９０、  ０．３７１）  によって特定された範囲に納め、緑光の領域がＣＩＥ１９３１色温度座標（０．３７、  ０．４２）、（０．４０、  ０．４５）、（０．３８、  ０．６０）、（０．３５、  ０．６４）、（０．３３、  ０．６５）、（０．２４、  ０．５５）と、（０．２６、  ０．３２）によって特定された範囲に納め、赤光の領域がＣＩＥ１９３１色温度座標（０．５４、  ０．２６）、（０．５３、  ０．１８）、（０．３７、  ０．１５）、（０．３３、  ０．２９）と、（０．５０、  ０．４０）によって特定された範囲に納める。
【００１２】
さらに、第１ＬＥＤと、第２ＬＥＤの輝度比率が２．２〜３．２のときは、ＬＥＤ発光装置を色温度のターゲット領域に合致する条件において、ＬＥＤ発光装置全体の色温度表現を微調整することができる。
【００１３】
ＬＥＤ発光装置の色温度のターゲット領域がＡＮＳＩ５０００Ｋのとき、色温度のターゲット領域がＣＩＥ１９３１色温度座標（０．３５５、  ０．３７５）、（０．３３８、  ０．３６２）、（０．３３７、  ０．３３７）と、（０．３５１、  ０．３４８）  によって特定された範囲に納め、緑光の領域がＣＩＥ１９３１色温度座標（０．３７、  ０．４２）、（０．４０、  ０．４５）、（０．３８、  ０．６０）、（０．３５、  ０．６４）、（０．３３、  ０．６５）、（０．２４、  ０．５５）と、（０．２６、  ０．３２）によって特定された範囲に納め、赤光の領域がＣＩＥ１９３１色温度座標（０．５４、  ０．２６）、（０．５３、  ０．１８）、（０．３７、  ０．１５）、（０．３３、  ０．２９）と、（０．５０、  ０．４０）によって特定された範囲に納める。
【００１４】
さらに、第１ＬＥＤと、第２ＬＥＤの輝度比率が３．６〜４．２のときは、ＬＥＤ発光装置の色温度表現を微調整することができると共に、ＬＥＤ発光装置全体の色温度を色温度のターゲット領域位置に納めることができる。
【００１５】
ＬＥＤ発光装置の色温度のターゲット領域がＡＮＳＩ６５００Ｋのとき、色温度のターゲット領域がＣＩＥ１９３１色温度座標（０．３２１、  ０．３４８）、（０．３０３、  ０．３３１）、（０．３０７、  ０．３１２）と、（０．３２２、  ０．３２５）  によって特定された範囲に納め、緑光の領域がＣＩＥ１９３１色温度座標（０．３７，  ０．４２）、（０．３０，  ０．６０）、（０．２８，  ０．６０）、（０．２７，  ０．４７）、（０．２４，  ０．３２）と、（０．２８５，  ０．３４）によって特定された範囲に納め、赤光の領域がＣＩＥ１９３１色温度座標（０．３７，  ０．３２）、（０．４５，  ０．１８）、（０．２９，  ０．０８）、（０．２８，  ０．２０）と、（０．３０，  ０．２７）によって特定された範囲に納める。
【００１６】
さらに、第１ＬＥＤと、第２ＬＥＤの輝度比率が３．６〜４．２のときは、ＬＥＤ発光装置を設定の直線にて振れ、かつ色温度のターゲット領域に位置させ、第１ＬＥＤと、第２ＬＥＤの輝度比率によって、ＬＥＤ発光装置全体の色温度表現を調整することができる。
【００１７】
本発明は、ＣＩＥ１９３１色温度座標少なくとも一つの色温度のターゲット領域でプロットされた色温度表現に合致することができる、ＬＥＤ発光装置をさらに開示される。基板と、基板に取り付けていて、かつ第１青色ＬＥＤチップと、緑色蛍光体とを含む、緑色蛍光体は第１青色ＬＥＤチップから出射する青光を吸収により励起し、みどり光を形成する少なくとも一つの第１ＬＥＤと、基板に取り付けていて、かつ第２青色ＬＥＤチップと、赤色蛍光体とを含む、赤色蛍光体は第２青色ＬＥＤチップから出射する青光を吸収により励起し、赤光を形成する少なくとも一つの第２ＬＥＤと、を備える。そのうち、第１青色ＬＥＤチップと、第２青色ＬＥＤチップは同じ規格であり、かつ第１ＬＥＤのみどり光と、第２ＬＥＤの赤光がＣＩＥ１９３１色温度座標上の色温度のターゲット領域において、設定の直線を通過する２つの端点に対応されている。これにより、ＬＥＤ発光装置全体の色温度が色温度のターゲット領域に位置されると共に、色温度のターゲット領域の設定の直線を通過する２つの端点がパッケージした後の第１ＬＥＤのみどり光色温度座標点と、第２ＬＥＤの赤光色温度座標点に対応することによって、色温度表現を簡単に調整可能なＬＥＤ発光装置を提供することができる。
【００１８】
前述とおり、設定の直線と、色温度のターゲット領域が２つの交点を形成したとき、第１ＬＥＤと、第２ＬＥＤの設置数で第１ＬＥＤが第２ＬＥＤに対する輝度比率を調整することによって、ＬＥＤ発光装置全体の色温度が色温度ターゲットの設定の直線において振れる。ここに開示するＬＥＤ発光装置は、第１ＬＥＤと、第２ＬＥＤの設置数によって、輝度比率を調整し、ＬＥＤ発光装置の色温度を色温度のターゲット領域に納めて、その表現を微調整し、ＬＥＤ発光装置の調整自由度と、表現される光学品位をさらに向上させる。
【００１９】
第１青色ＬＥＤチップと、第２青色ＬＥＤチップの波長が４００ｎｍ〜４８０ｎｍ、赤色蛍光体を励起された後赤光の波長が６００ｎｍ〜６５０ｎｍ、緑色蛍光体を励起された後みどり光の波長が５１５ｎｍ〜５６０ｎｍが好ましいである。
【００２０】
ＬＥＤ発光装置の色温度のターゲット領域がＡＮＳＩ２７００Ｋ〜３０００Ｋのとき、色温度のターゲット領域がＣＩＥ１９３１色温度座標（０．４８１，  ０．４３１）、（０．４５９，  ０．３９４）、（０．４３０，  ０．４１７）と、（０．４１５，  ０．３８２）によって特定された範囲に納め、第１ＬＥＤの緑光がＣＩＥ１９３１色温度座標（０．４４，  ０．５０）、（０．４４，  ０．５５）、（０．２６，  ０．６２）、（０．２７，  ０．４０）と、（０．３９，  ０．４５））によって、特定されたみどり光の領域に納め、第２ＬＥＤの赤光がＣＩＥ１９３１色温度座標（０．５２，  ０．３５）、（０．５６，  ０．３９）、（０．６４，  ０．３０）、（０．４７，  ０．１６）と、（０．４６，  ０．３２）によって、特定された赤光の領域に納められる。
【００２１】
さらに、第１ＬＥＤと、第２ＬＥＤの輝度比率が１．２〜２．０のときは、ＬＥＤ発光装置の色温度が色温度のターゲット領域の設定の直線に位置され、ＬＥＤ発光装置の色温度表現をさらに微調整することによって、より高い調節の自由度と、より良い高額品位を提供することができる。
【００２２】
ＬＥＤ発光装置の色温度のターゲット領域がＡＮＳＩ４１００Ｋのとき、色温度のターゲット領域がＣＩＥ１９３１色温度座標（０．４００，  ０．４０３）、（０．３７４，  ０．３８８）、（０．３６７，  ０．３５８）と、（０．３９０，  ０．３７１）によって特定された範囲に納め、第１ＬＥＤの緑光がＣＩＥ１９３１色温度座標（０．３７，  ０．４２）、（０．４０，  ０．４５）、（０．３８，  ０．６０）、（０．３５，  ０．６４）、（０．３３，  ０．６５）、（０．２４，  ０．５５）と、（０．２６，  ０．３２））によって、特定されたみどり光の領域に納め、第２ＬＥＤの赤光がＣＩＥ１９３１色温度座標（０．５４，  ０．２６）、（０．５３，  ０．１８）、（０．３７，  ０．１５）、（０．３３，  ０．２９）と、（０．５０，  ０．４０）によって、特定された赤光の領域に納められる。
【００２３】
さらに、第１ＬＥＤと、第２ＬＥＤの輝度比率が２．２〜３．２のときは、ＬＥＤ発光装置の色温度が色温度のターゲット領域の設定の直線に位置され、ＬＥＤ発光装置の色温度表現をさらに微調整することによって、より高い調節の自由度と、より良い高額品位を提供することができる。
【００２４】
ＬＥＤ発光装置の色温度のターゲット領域がＡＮＳＩ５０００Ｋのとき、色温度のターゲット領域がＣＩＥ１９３１色温度座標（０．３５５，  ０．３７５）、（０．３３８，  ０．３６２）、（０．３３７，  ０．３３７）と、（０．３５１，  ０．３４８）によって特定された範囲に納め、第１ＬＥＤの緑光がＣＩＥ１９３１色温度座標（０．３７，  ０．４２）、（０．４０，  ０．４５）、（０．３８，  ０．６０）、（０．３５，  ０．６４）、（０．３３，  ０．６５）、（０．２４，  ０．５５）と、（０．２６，  ０．３２））によって、特定されたみどり光の領域に納め、第２ＬＥＤの赤光がＣＩＥ１９３１色温度座標（０．５４，  ０．２６）、（０．５３，  ０．１８）、（０．３７，  ０．１５）、（０．３３，  ０．２９）と、（０．５０，  ０．４０）によって、特定された赤光の領域に納められる。
【００２５】
さらに、第１ＬＥＤと、第２ＬＥＤの輝度比率が３．６〜４．２のときは、ＬＥＤ発光装置の色温度が色温度のターゲット領域の設定の直線に位置され、ＬＥＤ発光装置の色温度表現をさらに微調整することによって、より高い調節の自由度と、より良い高額品位を提供することができる。
【００２６】
ＬＥＤ発光装置の色温度のターゲット領域がＡＮＳＩ６５００Ｋのとき、色温度のターゲット領域がＣＩＥ１９３１色温度座標（０．３２１，  ０．３４８）、（０．３０３，  ０．３３１）、（０．３０７，  ０．３１２）と、（０．３２２，  ０．３２５）によって特定された範囲に納め、第１ＬＥＤの緑光がＣＩＥ１９３１色温度座標（０．３７，  ０．４２）、（０．３０，  ０．６０）、（０．２８，  ０．６０）、（０．２７，  ０．４７）、（０．２４，  ０．３２）と、（０．２８５，  ０．３４））によって、特定されたみどり光の領域に納め、第２ＬＥＤの赤光がＣＩＥ１９３１色温度座標（０．３７，  ０．３２）、（０．４５，  ０．１８）、（０．２９，  ０．０８）、（０．２８，  ０．２０）と、（０．３０，  ０．２７）によって、特定された赤光の領域に納められる。
【００２７】
さらに、第１ＬＥＤと、第２ＬＥＤの輝度比率が３．６〜４．２のときは、ＬＥＤ発光装置の色温度が色温度のターゲット領域の設定の直線に位置され、ＬＥＤ発光装置の色温度表現をさらに微調整することによって、より高い調節の自由度と、より良い高額品位を提供することができる。
【００２８】
以上をまとめると、本発明より提供する色温度表現のＬＥＤ発光装置及びＬＥＤ発光装置の製造方法は、異なる色を混光する方式によって、ＬＥＤ発光装置の色温度を特定の色温度のターゲット領域に納めることができるほか、全体を混色して均一な白光を表現し、より良い調節の自由度のほか、より良い発光効率を提供できる。て、全体の光学品位を向上させることができる。このほかに、第１ＬＥＤと、第２ＬＥＤの設置数によって、第１ＬＥＤが第２ＬＥＤに対する輝度比率を調整し、ＬＥＤ発光装置の色温度が色温度のターゲット領域に納める条件において、ＬＥＤ発光装置の色温度表現の微調整を行うことによって、全体の光学品位を向上することができる。
【図面の簡単な説明】
【００２９】
【図１】公知の白色ＬＥＤの態様図である。
【図２Ａ】公知の発光装置による設置態様図（その１）である。
【図２Ｂ】公知の発光装置による設置態様図（その２）である。
【図２Ｃ】公知の発光装置による設置態様図（その３）である。
【図２Ｄ】公知の発光装置による設置態様図（その４）である。
【図３】本発明の一実施例による製造方法のステップフロー図である。
【図４】本発明の一実施例によるＬＥＤ発光装置の平面を示す図である。
【図５Ａ】本発明の発光装置による設置態様図（その１）である。
【図５Ｂ】本発明の発光装置による設置態様図（その２）である。
【図５Ｃ】本発明の発光装置による設置態様図（その３）である。
【図５Ｄ】本発明の発光装置による設置態様図（その４）である。
【図５Ｅ】本発明の発光装置による設置態様図（その５）である。
【図５Ｆ】本発明の発光装置による設置態様図（その６）である。
【図５Ｇ】本発明の発光装置による設置態様図（その７）である。
【図５Ｈ】本発明の発光装置による設置態様図（その８）である。
【図５Ｉ】本発明の発光装置による設置態様図（その９）である。
【図５Ｊ】本発明の発光装置による設置態様図（その１０）である。
【図５Ｋ】本発明の発光装置による設置態様図（その１１）である。
【図５Ｌ】本発明の発光装置による設置態様図（その１２）である。
【図６】本発明もう一つの実施例による製造方法のステップフロー図である。
【図７】本発明の第１実施態様によるＣＩＥ１９３１色温度座標図ＣＩＥ色温度座標図である。
【図８】本発明の第２実施態様によるＣＩＥ１９３１色温度座標図ＣＩＥ色温度座標図である。
【図９】本発明の第３実施態様によるＣＩＥ１９３１色温度座標図ＣＩＥ色温度座標図である。
【図１０】本発明の第４実施態様によるＣＩＥ１９３１色温度座標図ＣＩＥ色温度座標図である。
【図１１】本発明の第５実施態様によるＣＩＥ１９３１色温度座標図ＣＩＥ色温度座標図である。
【発明を実施するための形態】
【実施例】
【００３０】
前述のとおり、単一の白色ＬＥＤ光源では、設計と製造に種種な不便があるため、本発明人は前述考え方から抜け出して設計構造を行った。すなわち、それぞれ異なる光色のＬＥＤを混色して、所要な白光色温度の製造方法を思料した。本発明人はまず２種のＬＥＤをどのようにすれば、白光に混色できるかを着想した。設計の初期は、灯具に単独のＬＥＤチップをパッケージしてＬＥＤに形成し、さらに、一方は蛍光体と、ＬＥＤチップとを組み合わせたＬＥＤを用いて、互いに混色する方式によって、灯具に白光を表現させた。一例として、赤色ＬＥＤチップを赤光源として、もう一方のＬＥＤには青色ＬＥＤチップと、緑色蛍光体とを組み合わせて、みどり色光源として、合わせって設置したあとに、所要な白光色温度を形成した。しかしながら、全体の色温度表現を調合するときに、赤色の単一ＬＥＤチップをいったん選択した後、赤光の色温度が固定されてしまうのである。すなわち、ＣＩＥ１９３１色温度座標上一つの座標点に対応される。異なる色温度に調整する場合には、新たに一つのＬＥＤの緑色蛍光体を利用することによって、緑色ＬＥＤの色温度を改変して、所要な光色に調整する。しかしながら、この種の混色方式では、赤光の部分は、パッケージ加工前にチップ規格のリニア特性を利用し、その色度を微調整するしかなく、よって、調整の自由度に大きく制限されてしまうのである。そのため、所要な色温度を得るには、みどり光部分の調合は、より時間かかるほか、調整可能な色温度範囲も制限を受ける。よって、異なる色で混色する構想について、本発明人は本案で開示するＬＥＤ発光裝置の製造方法及びそのＬＥＤ発光装置の技術内容の発想にたどり着いた。
【００３１】
図３、本発明の一実施例による製造方法のステップフロー図を参照する。本発明は、色温度表現を簡単に調整できるＬＥＤ発光裝置の製造方法に関する。ＡＮＳＩ規定のＣＩＥ１９３１色温度座標上少なくとも一つの色度ターゲット領域の色温度表現に合致できる。係る方法は、
【００３２】
まず、青色ＬＥＤチップ規格を選択する（ステップＳ１０１）と、引き続き、緑色蛍光体を青色ＬＥＤチップと組み合わせて、ＣＩＥ１９３１色温度座標に緑光の領域を決定する（ステップＳ１０２）と、その後、赤色蛍光体と青色ＬＥＤチップとを組み合わせて、ＣＩＥ１９３１色温度座標に赤光の領域を決定する（ステップＳ１０３）と、このときは、まず青色ＬＥＤチップの種類と、対応の緑色蛍光体と、赤色蛍光体の種類及び成分等の要件を選択した上、青色ＬＥＤチップと組み合わせて使用し、ＣＩＥ１９３１色温度座標に緑光の領域を決定して、赤光の領域、その後の調整手段に便利させる。
【００３３】
最後に、色温度のターゲット領域を通過する設定の直線を選択して、さらに、設定の直線２つの端点がそれぞれ緑光の領域と、赤光の領域とに位置させ、これをもって緑色蛍光体と、赤色蛍光体の濃度を決定する。そのうち、緑色蛍光体と、青色ＬＥＤチップとを組み合わせてパッケージし、一体成型によって第１ＬＥＤを形成し、赤色蛍光体と、青色ＬＥＤチップとを組み合わせてパッケージし、一体成型によって第２ＬＥＤを形成し、さらに、少なくとも一つの第１ＬＥＤと、少なくとも一つの第２ＬＥＤを基板に取り付ける（ステップＳ１０４）と、を備える。これにより、設定の直線２つの端点に基づき、緑色蛍光体と、赤色蛍光体の濃度とを決定し、緑色蛍光体と、赤色蛍光体の濃度とを確定して置き、さらに、パッケージ加工して第１ＬＥＤと、第２ＬＥＤとを形成すれば、第１ＬＥＤと、第２ＬＥＤの混色によって、色温度のターゲット領域内の色温度が得られ、より精確、より高速に仕上げるＬＥＤ発光装置の製造方法を提供される。
【００３４】
図４、本発明の一実施例によるＬＥＤ発光装置の平面を示す図を参照する。本発明において、ＣＩＥ１９３１色度座標上少なくとも一つの色温度座標領域でプロットされた色温度表現に合致するＬＥＤ発光装置１をさらに開示する。基板１３と、少なくとも一つの第１ＬＥＤ１１と、少なくとも一つの第２ＬＥＤ１２と、を備える。第１ＬＥＤ１１を基板１３に取り付け、第１青色ＬＥＤチップ１４と、緑色蛍光体とを含む、緑色蛍光体が第１青色ＬＥＤチップ１４から出射する青光を吸収して励起し、みどり光を形成される。第２ＬＥＤ１２を基板１３に取り付け、第２青色ＬＥＤチップ１５と、赤色蛍光体とを含む、赤色蛍光体が第２青色ＬＥＤチップ１５から出射する青光を吸収して励起し、赤光を形成される。そのうち、第１青色ＬＥＤチップ１４と、第２青色ＬＥＤチップ１５とは同じ規格であり、かつ、第１ＬＥＤ１１のみどり光と、第２ＬＥＤ１２の赤光がＣＩＥ１９３１色温度座標上、色温度のターゲット領域の設定の直線の２つの端点を通過することを合致できる。
【００３５】
引き続き図５Ａ〜５Ｌと、図１と、図２Ａ〜２Ｄとを合わせて参照する。第１ＬＥＤ１１と、第２ＬＥＤ１２を基板１３に取り付けた後にＬＥＤ発光装置１を形成し、極めて良い調光の自由度を有するほか、公知技術による青色ＬＥＤチップ２０と、赤色蛍光体２１と、緑色蛍光体２２とを合わせてパッケージ加工して、形成する白色ＬＥＤ２に比べて、より優れる発光効率を有する。以下において、白色ＬＥＤ２を電気回路板３に取り付けて、形成した公知技術の発光装置４と、ＬＥＤ発光装置１が同じ色温度での発光効率とを比較してみる。説明をより単純にするため、以下に示す各表の公知技術による発光装置４と、本発明によるＬＥＤ発光装置１の態様は、図２Ａ〜２Ｄと、図５Ａ〜５Ｌと合わせて参照する。
【００３６】
以下に示すものは、電気回路板３に単一の白色ＬＥＤ２を取り付けた公知技術の発光装置４と、基板１３に単一の第１ＬＥＤ１１と、単一の第２ＬＥＤ１２とを取り付けた本案のＬＥＤ発光装置１が同一色温度表現において、測定した効率比較表一である。さらに、白色ＬＥＤ２は、２つの青色ＬＥＤチップ２０を有し、一方、公知技術の発光装置４と、ＬＥＤ発光装置１の設置態様は、表に示された図を参照する。効率比較表一から分かるように、同じ色温度条件において、本発明を適用すれば、より良い効率を達成できることは明確である。
【００３７】
【表１】
2017098522.tif 000003
【００３８】
以下に示すものは、電気回路板３に２つの白色ＬＥＤ２を取り付けた公知技術の発光装置４と、基板１３に単一の第１ＬＥＤ１１と、単一の第２ＬＥＤ１２を取り付けたＬＥＤ発光装置１が同一色温度表現で測定した効率比較表二である。さらに、それぞれの白色ＬＥＤ２が単一の青色ＬＥＤチップ２０に対応してパッケージされている。公知技術の発光装置４と、ＬＥＤ発光装置１の設置態様は、表に示された図面を参照する。効率比較表二から分かるように、同じ色温度条件において、本発明を適用すれば、より良い効率を達成できることは明確である。
【００３９】
【表２】
2017098522.tif 000004
【００４０】
引き続き、効率比較表二〜五に示すものは、電気回路板３に２つの白色ＬＥＤ２を設られた公知技術の発光装置４と、基板１３に２つの第１ＬＥＤ１１と、一つの第２ＬＥＤ１２のＬＥＤ発光装置１が同一色温度表現で測定した結果である。そのうち一つの白色ＬＥＤ２は２つの青色ＬＥＤチップ２０に対応してパッケージしており、もう一つの白色ＬＥＤ２は一つの青色ＬＥＤチップ２０に対応してパッケージしている。公知技術の発光装置４と、ＬＥＤ発光装置１の設置態様は、表に示された図面を参照する。
【００４１】
【表３】
2017098522.tif 000005
【００４２】
【表４】
2017098522.tif 000006
【００４３】
【表５】
2017098522.tif 000007
【００４４】
効率比較表三〜五をまとめると、同じ色温度において、第１ＬＥＤ１１と、第２ＬＥＤ１２が基板１３での配列位置関係なしに、公知技術の発光装置４に比べて、すべてより良い発光効率が得られる。
【００４５】
効率比較表六〜九に示すものは、電気回路板３に２つの白色ＬＥＤ２を設けた公知技術の発光装置４と、基板１３に２つの第１ＬＥＤ１１と、２つの第２ＬＥＤ１２を設けたＬＥＤ発光装置１を同一色温度表現条件で測定した結果である。さらに、それぞれの白色ＬＥＤ２が２つの青色ＬＥＤチップ２０に対応してパッケージされている。公知技術の発光装置４と、ＬＥＤ発光装置１の設置態様は、表に示された図面を参照する。
【００４６】
【表６】
2017098522.tif 000008
【００４７】
【表７】
2017098522.tif 000009
【００４８】
【表８】
2017098522.tif 000010
【００４９】
【表９】
2017098522.tif 000011
【００５０】
効率比較表六〜九をまとめると、同じ色温度において、第１ＬＥＤ１１と、第２ＬＥＤ１２が基板１３での配列位置関係なしに、公知技術の発光装置４に比べて、すべてより良い発光効率が得られる。
【００５１】
効率比較表１０〜１３に示すものは、電気回路板３に２つの白色ＬＥＤ２を設けた公知技術の発光装置４と、基板１３に一つの第１ＬＥＤ１１と、３つの第２ＬＥＤ１２を設けたＬＥＤ発光装置１を同一色温度表現条件で測定した結果である。さらに、それぞれの白色ＬＥＤ２が２つの青色ＬＥＤチップ２０に対応してパッケージされている。公知技術の発光装置４と、ＬＥＤ発光装置１の設置態様は、表に示された図面を参照する。
【００５２】
【表１０】
2017098522.tif 000012
【００５３】
【表１１】
2017098522.tif 000013
【００５４】
【表１２】
2017098522.tif 000014
【００５５】
【表１３】
2017098522.tif 000015
【００５６】
効率比較表十〜十三をまとめると、同じ色温度において、第１ＬＥＤ１１と、第２ＬＥＤ１２が基板１３での配列位置関係なしに、公知技術の発光装置４に比べて、すべてより良い発光効率が得られる。以上に示された効率比較表から分かるように、本発明のＬＥＤ發光裝置１が公知技術の発光装置４に比べて、確かにより良い発光効率あることが分かる。
【００５７】
引き続き図６、本発明もう一つの一実施例による製造方法のステップフロー図を参照する。ＬＥＤ発光装置の色温度表現をさらに向上させ、色温度表現がより簡単に調整できるＬＥＤ発光裝置の製造方法は、設定の直線が色温度のターゲット領域を通過して、２つの交点を形成したとき、第１ＬＥＤと、第２ＬＥＤの設置数で第１ＬＥＤが第２ＬＥＤに対する輝度比率を調整することによって、ＬＥＤ発光装置全体の色温度が色温度ターゲットの設定の直線において振れる（ステップＳ１０５）と、設定の直線２つの端点に基づき、みどり光パウダーと、赤光蛍光パウダーを選択し、かつパッケージ加工により、第１ＬＥＤと、第２ＬＥＤとを形成した後、色温度目標領域の色温度表現に合致させた後、さらに、第１ＬＥＤと、第２ＬＥＤの設置数量で両者の輝度比率を調整することによって、色温度のターゲット領域範囲及び設定の直線におさまる条件において、輝度比率値を変更する方法によって、ＬＥＤ発光装置の色温度表現の微調整を行い、より良い光学品位を提供できる。本実施例において、青色ＬＥＤチップの波長は４００ｎｍ〜４８０ｎｍ、赤色蛍光体を励起された後赤光の波長は６００ｎｍ〜６５０ｎｍ、緑色蛍光体を励起された後みどり光の波長は５１５ｎｍ〜５６０ｎｍを例示しているが、ただし、本発明はこの限りではない。
【００５８】
同じく、図３に示すように、ＬＥＤ発光装置１の設定の直線と、色温度のターゲット領域と２つの交点を形成したとき、第１ＬＥＤ１１と、第２ＬＥＤ１２の設定数量で第１ＬＥＤ１１が第２ＬＥＤ１２に対する輝度比率を調整し、ＬＥＤ発光装置１全体の色温度が色温度のターゲット領域内設定の直線において振れさせ、これをもって、ＬＥＤ発光装置１の色温度表現を調整する。第１青色ＬＥＤチップ１４と、第２青色ＬＥＤチップ１５の波長は４００ｎｍ〜４８０ｎｍ、赤色蛍光体を励起された後赤光の波長は６００ｎｍ〜６５０ｎｍ、緑色蛍光体を励起された後みどり光の波長は５１５ｎｍ〜５６０ｎｍ、ただし、本発明はこの限りではない。
【００５９】
引き続き、ＬＥＤ発光装置１の色温度のターゲット領域がＡＮＳＩ２７００Ｋ〜３０００Ｋ、４１００Ｋ〜５０００Ｋと、６５００Ｋのとき、色温度のターゲット領域、第１ＬＥＤ１１の緑光の領域、第２ＬＥＤ１２の赤光の領域と、設定の直線がＣＩＥ１９３１色温度座標上の表現及び異なる輝度比率におけるＬＥＤ発光装置１の全体の色温度がＣＩＥ１９３１色温度座標の表現を説明する。
【００６０】
引き続き図７、本発明の第１実施態様によるＣＩＥ１９３１色温度座標図ＣＩＥ色温度座標図を参照する。ＡＮＳＩ２７００Ｋとは色温度が２５８０Ｋ〜２８７０Ｋ領域にあることを示し、ＡＮＳＩ３０００Ｋとは色温度が２８７０Ｋ〜３２２０Ｋ領域にあることを示す。よって、ＡＮＳＩ２７００Ｋ〜３０００Ｋの基準は、一般として色温度表現が２５８０Ｋ〜３２２０Ｋの範囲にあることを言う。ＬＥＤ発光装置１の色温度のターゲット領域がＡＮＳＩ２７００Ｋ〜３０００Ｋのとき、ＣＩＥ１９３１色温度座標上で対応する色温度のターゲット領域Ａ１は、ＣＩＥ１９３１色温度座標（０．４８１、  ０．４３１）、（０．４５９、  ０．３９４）、（０．４３０、  ０．４１７）と、（０．４１５、  ０．３８２）  によって特定された範囲に位置されている。ここにおいて、緑光の領域Ｇ１がＣＩＥ１９３１色温度座標（０．４４、  ０．５０）、（０．４４、  ０．５５）、（０．２６、  ０．６２）、（０．２７、  ０．４０）と、（０．３９、  ０．４５）によって特定された範囲に納め、赤光の領域Ｒ１がＣＩＥ１９３１色温度座標（０．５２、  ０．３５）、（０．５６、  ０．３９）、（０．６４、  ０．３０）、（０．４７、  ０．１６）と、（０．４６、  ０．３２）によって特定された範囲に納めるものを選択する。引き続き、設定の直線Ｌ１が緑光の領域Ｇ１の端点に対応するｇ１座標（０．３２８、  ０．５１１）と、赤光の領域Ｒ１の端点ｒ１に対応する座標は（０．５８２、  ０．３１０）を選択すると共に、第１ＬＥＤ１１が第２ＬＥＤ１２に対する輝度比率が１．２〜２．０範囲において、測定を行った結果は、表１４に示す。
【００６１】
【表１４】
2017098522.tif 000016
【００６２】
表１４から分かるように、測定した結果、ＬＥＤ発光装置１が異なる輝度比率の全体の色温度が表１４に示すＡ〜Ｄの４つの座標点に位置し、かつＡ〜Ｄは色温度のターゲット領域Ａ１の設定の直線Ｌ１に位置し、ＬＥＤ発光装置１の全体の色温度値が２５８６Ｋ〜２８５９Ｋにおさまり、ＡＮＳＩ２７００Ｋ〜３０００Ｋの目標を確実に合致しており、さらに、輝度比率の調節によって、ＬＥＤ発光装置１の全体の色温度が設定の直線Ｌ１に振れる。
【００６３】
引き続き図８、本発明の第１実施態様によるＣＩＥ１９３１色温度座標図ＣＩＥ色温度座標図を参照する。前述条件に基づき、もう一つの設定の直線Ｌ２が緑光の領域Ｇ１の端点に対応するｇ１座標（０．３２２、  ０．４８４）と、赤光の領域Ｒ１の端点ｒ１に対応する座標は（０．５５８、  ０．３０４）を選択すると共に、第１ＬＥＤ１１が第２ＬＥＤ１２に対する輝度比率が１．２〜２．０範囲において、測定を行った結果は、表１５に示す。
【００６４】
【表１５】
2017098522.tif 000017
【００６５】
表１５から分かるように、測定したけ結果は、ＬＥＤ発光装置１が異なる輝度比率の全体の色温度が表１５に示すＡ〜Ｄの４つの座標点に形成し、かつＡ〜Ｄが色温度のターゲット領域Ａ１の設定の直線Ｌ２上に位置し、ＬＥＤ発光装置１の色温度値が２８７０Ｋ〜３２１９Ｋにおさまり、ＡＮＳＩ２７００Ｋ〜３０００Ｋの目標を確実に合致すると共に、輝度比率の調整により、ＬＥＤ発光装置１全体の色温度を設定の直線Ｌ２に振れることができる。
【００６６】
引き続き図９、本発明の第３実施態様によるＣＩＥ１９３１色温度座標図を参照する。ＡＮＳＩ２７００Ｋ〜３０００Ｋの範囲とは、色温度が３７１０Ｋ〜４２６０Ｋの範囲におさまり、ＬＥＤ発光装置１の色温度のターゲット領域がＡＮＳＩ４１００Ｋのとき、ＣＩＥ１９３１色温度座標で対応する色度座標領域Ａ２が（０．４００、  ０．４０３）、（０．３７４、  ０．３８８）、（０．３６７、  ０．３５８）と、（０．３９０、  ０．３７１）  によって特定された範囲に位置されている。緑光の領域Ｇ１がＣＩＥ１９３１色温度座標（０．３７，  ０．４２）、（０．４０，  ０．４５）、（０．３８，  ０．６０）、（０．３５，  ０．６４）、（０．３３，  ０．６５）、（０．２４，  ０．５５）と、（０．２６、  ０．３２）によって特定された範囲に納め、赤光の領域Ｒ１がＣＩＥ１９３１色温度座標（（０．５４，  ０．２６）、（０．５３，  ０．１８）、（０．３７，  ０．１５）、（０．３３，  ０．２９）と、（０．５０、  ０．４０）によって特定された範囲に納めるものを選択する。さらに、設定の直線Ｌ３が緑光の領域Ｇ１の端点Ｇ２に対応するｇ２座標（０．３１１、  ０．４６１）と、赤光の領域Ｒ２の端点ｒ２に対応する座標は（０．４８９、  ０．２６４）を選択すると共に、第１ＬＥＤ１１が第２ＬＥＤ１２に対する輝度比率が２．２〜３．２範囲において、測定を行った結果は、表１６に示す。
【００６７】
【表１６】
2017098522.tif 000018
【００６８】
表１６から分かるように、測定したけ結果は、ＬＥＤ発光装置１が異なる輝度比率の全体の色温度が表１６に示すＡ〜Ｄの４つの座標点を形成し、かつＡ〜Ｄが色温度のターゲット領域Ａ２の設定の直線Ｌ３上に位置し、さらに、ＬＥＤ発光装置１の色温度値が３７１１Ｋ〜４１０４Ｋにおさまり、ＡＮＳＩ４１００Ｋの目標を確実に合致すると共に、輝度比率の調整により、ＬＥＤ発光装置１全体の色温度を設定の直線Ｌ３に振れることができる。
【００６９】
引き続き図１０、本発明の第４実施態様によるＣＩＥ１９３１色温度座標図を参照する。ＡＮＳＩ５０００Ｋの範囲とは、色温度が４７４６Ｋ〜５３１２Ｋの範囲におさまり、ＬＥＤ発光装置１の色温度のターゲット領域がＡＮＳＩ５０００Ｋのとき、ＣＩＥ１９３１色温度座標で対応する色度座標領域Ａ３が（０．３５５，  ０．３７５）、（０．３３８，  ０．３６２）、（０．３３７，  ０．３３７）と、（０．３５１、  ０．３４８）  によって特定された範囲に位置されている。緑光の領域Ｇ３がＣＩＥ１９３１色温度座標（０．３７，  ０．４２）、（０．４０，  ０．４５）、（０．３８，  ０．６０）、（０．３５，  ０．６４）、（０．３３，  ０．６５）、（０．２４，  ０．５５）と、（０．２６、  ０．３２）によって特定された範囲に納め、赤光の領域Ｒ３がＣＩＥ１９３１色温度座標（（０．５４，  ０．２６）、（０．５３，  ０．１８）、（０．３７，  ０．１５）、（０．３３，  ０．２９）と、（０．５０、  ０．４０）によって特定された範囲に納めるものを選択する。さらに、設定の直線Ｌ４が緑光の領域Ｇ３の端点Ｇ３に対応するｇ３４座標（０．３０７、  ０．４４０）と、赤光の領域Ｒ２の端点ｒ２に対応する座標は（０．４１１、  ０．２２３）を選択すると共に、第１ＬＥＤ１１が第２ＬＥＤ１２に対する輝度比率が３．６〜４．２範囲において、測定を行った結果は、表１７に示す。
【００７０】
【表１７】
2017098522.tif 000019
【００７１】
表１７から分かるように、量測定したけ結果は、ＬＥＤ発光装置１が異なる輝度比率の全体の色温度が表１７に示すＡ〜Ｄの４つの座標点を形成し、かつＡ〜Ｄが色温度のターゲット領域Ａ３の設定の直線Ｌ４上に位置し、さらに、ＬＥＤ発光装置１の色温度値が４８１７Ｋ〜５１２２Ｋにおさまり、ＡＮＳＩ５０００Ｋの目標を確実に合致すると共に、輝度比率の調整により、ＬＥＤ発光装置１全体の色温度を設定の直線Ｌ４に振れることができる。
【００７２】
引き続き図１１、本発明の第５実施態様によるＣＩＥ１９３１色温度座標図を参照する。ＡＮＳＩ６５００Ｋとは、色温度が６０２２Ｋ〜７０４２Ｋの範囲におさまり、ＬＥＤ発光装置１の色温度のターゲット領域がＡＮＳＩ６５００Ｋのとき、ＣＩＥ１９３１色温度座標で対応する色度ターゲット座標領域Ａ４が（０．３２１，  ０．３４８）、（０．３０３，  ０．３３１）、（０．３０７，  ０．３１２と、（０．３２２、  ０．３２５）  によって特定された範囲に位置されている。緑光の領域Ｇ４がＣＩＥ１９３１色温度座標（０．３７，  ０．４２）、（０．３０，  ０．６０）、（０．２８，  ０．６０）、（０．２７，  ０．４７）、（０．２４，  ０．３２）と、（０．２８５、  ０．３４）によって特定された範囲に納め、赤光の領域Ｒ３がＣＩＥ１９３１色温度座標（０．３７，  ０．３２）、（０．４５，  ０．１８）、（０．２９，  ０．０８）、（０．２８，  ０．２０）と、（０．３０、  ０．２７）によって特定された範囲に納めるものを選択する。さらに、設定の直線Ｌ５が緑光の領域Ｇ４の端点Ｇ４に対応するｇ４座標（０．２８２、  ０．３９０）と、赤光の領域Ｒ４の端点ｒ４に対応する座標は（０．３８２、  ０．１９５）を選択すると共に、第１ＬＥＤ１１が第２ＬＥＤ１２に対する輝度比率が３．６〜４．２範囲において、測定を行った結果は、表１８に示す。
【００７３】
【表１８】
2017098522.tif 000020
【００７４】
表１８から分かるように、量測定したけ結果は、ＬＥＤ発光装置１が異なる輝度比率の全体の色温度が表１８に示すＡ〜Ｄの４つの座標点を形成し、かつＡ〜Ｄが色温度のターゲット領域Ａ４の設定の直線Ｌ５上に位置し、さらに、ＬＥＤ発光装置１の色温度値が６３２３Ｋ〜６６１０Ｋにおさまり、ＡＮＳＩ６５００Ｋの目標を確実に合致すると共に、輝度比率の調整により、ＬＥＤ発光装置１全体の色温度を設定の直線Ｌ５に振れることができる。
【００７５】
前述ＬＥＤ発光装置１が各設定条件の測定結果から分かるように、ＬＥＤ発光装置１全体の色温度表現は、確かに色温度のターゲット領域に合致できる。さらに輝度比率が色温度のターゲット領域に合致する条件において、ＬＥＤ発光装置１の色温度の微調整を行い、高い調整の自由度のＬＥＤ発光装置の製造方法及びＬＥＤ発光装置１の提供を実現できる。
【００７６】
以上をまとめると、本発明で開示するＬＥＤ発光装置の製造方法及びその発光装置は、色温度表現を簡単に調整でき、より高い調光の自由度を提供されるほか、より良い発光効率を有する。本発明人が従来の発想を超えて、白色光源でないＬＥＤを使用し、異なる色による混色方式を利用し、ＬＥＤ発光装置に白光の色温度を表現させ、従来の色温度の不均一現象を解消する。さらに、第１ＬＥＤと、第２ＬＥＤが基板での配列位置を関係なしに、均一な白光表現に調整することができ、特定のエアリアが第１ＬＥＤのみどり光または第２ＬＥＤの赤光の影響により、色温度のムラを発生しない。かつ、より優れる発光効率を有する。このほかに、第１ＬＥＤと、第２ＬＥＤの設置数で輝度比率を調整し、ＬＥＤ発光装置全体の色温度を色温度のターゲット領域において、微調整を行うことができ、ＬＥＤ発光装置の光学品位を向上し、より良い色温度表現を提供できる。
【符号の説明】
【００７７】
（公知技術）
２            白光ＬＥＤ
２０            青色ＬＥＤチップ
２１            赤色蛍光体
２２            みどり色蛍光体
３            電気回路基板
４            公知の発光装置
（本考案）
１            ＬＥＤ発光装置
１１            第１ＬＥＤ
１２            第２ＬＥＤ
１３            基板
１４            第１青色ＬＥＤチップ
１５            第２青色ＬＥＤチップ
Ａ１〜Ａ４        色温度のターゲット領域
Ｌ１〜Ｌ５        設定の直線
Ｇ１〜Ｇ４        みどり光の領域
Ｒ１〜Ｒ４        赤光の領域
ｇ１〜ｇ４        端点
ｒ１〜ｒ４        端点
ｇ１´            端点
ｒ１´            端点
Ｓ１０１〜Ｓ１０５    ステップ
【図１】
2017098522.tif 000021
【図２Ａ】
2017098522.tif 000022
【図２Ｂ】
2017098522.tif 000023
【図２Ｃ】
2017098522.tif 000024
【図２Ｄ】
2017098522.tif 000025
【図３】
2017098522.tif 000026
【図４】
2017098522.tif 000027
【図５Ａ】
2017098522.tif 000028
【図５Ｂ】
2017098522.tif 000029
【図５Ｃ】
2017098522.tif 000030
【図５Ｄ】
2017098522.tif 000031
【図５Ｅ】
2017098522.tif 000032
【図５Ｆ】
2017098522.tif 000033
【図５Ｇ】
2017098522.tif 000034
【図５Ｈ】
2017098522.tif 000035
【図５Ｉ】
2017098522.tif 000036
【図５Ｊ】
2017098522.tif 000037
【図５Ｋ】
2017098522.tif 000038
【図５Ｌ】
2017098522.tif 000039
【図６】
2017098522.tif 000040
【図７】
2017098522.tif 000041
【図８】
2017098522.tif 000042
【図９】
2017098522.tif 000043
【図１０】
2017098522.tif 000044
【図１１】
2017098522.tif 000045